(57)【特許請求の範囲】
【請求項１】
分電盤内に取り付けられる端子装置であって、箱型に形成されて１乃至複数の挿通孔が貫設されるケースと、挿通孔と各々対向してケース内に配設された錠ばね、及びケース内に配設される導電性を有する金属材により形成された端子板とで構成され、挿通孔を介して入線される電線を鎖錠接続する速結端子と、略帯板状に形成されて分電盤内の底板に取り付けられるとともにケースを係脱自在に保持する保持台と、ケースに配設される係合部、及び保持台に配設されて当該係合部と係合するとともに当該係合部が係合する位置と係合しない位置との間で当該係合部を保持台の長手方向に沿ってスライド自在に支持する被係合部からなり、係合部を被係合部に係合することで保持台の長手方向の一端部側へのケースの移動、保持台の短手方向へのケースの移動、保持台の前方へのケースの移動を規制する係合手段と、保持台の長手方向の他端部側へのケースの移動を規制する手段と、を備えることを特徴とする端子装置。
【請求項２】
保持台の長手方向の他端部側へのケースの移動を規制する手段として、保持台は、短手方向の両端部より前方へ延出し且つ先端部に各々内側へ突出する係止部を有した一対の支柱を備え、ケースは、前記係合する位置にあるときに保持台の係止部が係止する被係止部を備え、被係止部は、ケースの前記長手方向に沿った両側端面に各々配設されることを特徴とする請求項１記載の端子装置。
【請求項３】
保持台の長手方向の他端部側へのケースの移動を規制する手段として、保持台の長手方向の他端部において前方へ向かって立設されてなる隔壁部を備えることを特徴とする請求項１記載の端子装置。
【請求項４】
保持台の長手方向の他端部側へのケースの移動を規制する手段として、保持台の長手方向の他端部に係脱自在に取り付けられるストッパーを備えることを特徴とする請求項１記載の端子装置。
【発明の詳細な説明】
【技術分野】
【０００１】
本発明は、ネジによらずに電線を接続する、所謂速結の端子装置に関するものである。
【背景技術】
【０００２】
従来より、ネジによらずに電線の接続を可能にした、所謂速結の端子装置が提供されて
いる（例えば、特許文献１参照）。この様な端子装置は、箱型に形成されて１乃至複数の
挿通孔が貫設されるケースと、挿通孔と各々対向してケース内に配設され挿通孔を介して
入線される電線を鎖錠接続する速結端子とを備える。そして、端子装置は、例えば一般住
宅内等に設置される分電盤内に取り付けられ、分電盤の各分岐ブレーカより配電される電
源コンセントのアース端子と電線を介して電気的に接続されることで、電源コンセントに
接続される電気機器の接地を行っている。
【先行技術文献】
【特許文献】
【０００３】
【特許文献１】特開２０００−２４３４８３号公報
【発明の概要】
【発明が解決しようとする課題】
【０００４】
しかしながら、従来の端子装置は、ケースの底部に貫設される孔を介して分電盤内の底
板に穿設されるネジ孔にネジを螺合させることでケースの分電盤内への取り付けが行われ
るものとなっていて、ケースやケース内の速結端子の交換の際にはドライバ等の工具を必
要としてケースの取り付けや取り外しに手間がかかり作業性が悪いという問題があった。
【０００５】
本発明は上記事由に鑑みて為されたものであり、その目的は、ドライバ等の工具を必要
とせず、ケースの分電盤内への取り付け及び取り外し作業を容易に行うことができる端子
装置を提供することにある。
【課題を解決するための手段】
【０００６】
請求項１の発明は、上記目的を達成するために、分電盤内に取り付けられる端子装置であって、箱型に形成されて１乃至複数の挿通孔が貫設されるケースと、挿通孔と各々対向してケース内に配設された錠ばね、及びケース内に配設される導電性を有する金属材により形成された端子板とで構成され、挿通孔を介して入線される電線を鎖錠接続する速結端子と、略帯板状に形成されて分電盤内の底板に取り付けられるとともにケースを係脱自在に保持する保持台と、ケースに配設される係合部、及び保持台に配設されて当該係合部と係合するとともに当該係合部が係合する位置と係合しない位置との間で当該係合部を保持台の長手方向に沿ってスライド自在に支持する被係合部からなり、係合部を被係合部に係合することで保持台の長手方向の一端部側へのケースの移動、保持台の短手方向へのケースの移動、保持台の前方へのケースの移動を規制する係合手段と、保持台の長手方向の他端部側へのケースの移動を規制する手段と、を備えることを特徴とする。
【０００７】
この発明によれば、一度保持台を分電盤内に取り付ければ、以降のケースやケース内の
速結端子の交換の際には、当該係合部が係合する位置と係合しない位置との間でケースを
保持台の前記長手方向に沿って手動でスライドさせることで、保持台への取り付けや取り
外しができる。従って、ドライバ等の工具を必要とせず、ケースの分電盤内への取り付け
及び取り外し作業を容易に行うことができる。
【０００８】
請求項２の発明は、請求項１の発明において、保持台の長手方向の他端部側へのケースの移動を規制する手段として、保持台は、短手方向の両端部より前方へ延出し且つ先端部に各々内側へ突出する係止部を有した一対の支柱を備え、ケースは、前記係合する位置にあるときに保持台の係止部が係止する被係止部を備え、被係止部は、ケースの前記長手方向に沿った両側端面に各々配設されることを特徴とする。
【０００９】
この発明によれば、前記係合手段に加えて係止部及び被係止部を備えるので、保持台のケースに対する保持力をより強くすることができる。
請求項３の発明は、請求項１の発明において、保持台の長手方向の他端部側へのケースの移動を規制する手段として、保持台の長手方向の他端部において前方へ向かって立設されてなる隔壁部を備えることを特徴とする。
請求項４の発明は、請求項１の発明において、保持台の長手方向の他端部側へのケースの移動を規制する手段として、保持台の長手方向の他端部に係脱自在に取り付けられるストッパーを備えることを特徴とする。
【発明の効果】
【００１０】
本発明では、ドライバ等の工具を必要とせず、ケースの分電盤内への取り付け及び取り
外し作業を容易に行うことができるという効果がある。
【図面の簡単な説明】
【００１１】
【図１】本発明の実施形態１の斜視図である。
【図２】同上における平面図を示し、（ａ）は正面図で、（ｂ）は底面図で、（ｃ）は右側面図である。
【図３】同上における分解斜視図である。
【図４】（ａ）は同上における端子板の斜視図で、（ｂ）は同上におけるベースの斜視図である。
【図５】同上におけるケースの断面図である。
【図６】本発明の実施形態２の斜視図である。
【図７】本発明の実施形態３の斜視図である。
【図８】本発明の実施形態４の斜視図である。
【発明を実施するための形態】
【００１２】
（実施形態１）
以下、本発明の実施形態１について、図１〜図５を参照して説明する。尚、以下の説明
では、図１において上下左右前後方向を規定している。本実施形態の端子装置１は、図１
及び図２に示すように、ケース２と速結端子３と保持台４と係合手段たる係合部５及び被
係合部６とを備え、例えば一般住宅内等に設置される分電盤（図示せず）内に取り付けら
れる。
【００１３】
ケース２は、図１〜図３に示すように全体として左右方向に延びる細長の矩形箱に形成
されており、絶縁性材料により形成され後面が開口する箱型のカバー２１と、金属材によ
り矩形板状に形成されカバー２１の開口を塞ぐように取り付けられるケース２の底部たる
ベース２２とから構成される。カバー２１の前壁部２１ａには、図１〜図３に示すように
上下方向中心部よりやや下方寄りに左右方向に亘って６個の挿通孔２３が等間隔に貫設さ
れる。また、各挿通孔２３からやや右寄りの下方には差込口２４が貫設される。
【００１４】
カバー２１の下壁部２１ｂ及び上壁部２１ｃの後端部には、図１〜図３に示すように係
合手段たる４つの係合部５（図１中では下壁部２１ｂ側の２つのみ図示）が各々配設され
る。係合部５は、上下方向から見たときに全体としてＬ字形状に形成されてなり、略矩形
板に形成され前記後端部から後方へ突出する突出板５ａと、突出板５ａの後端部から左方
へ角筒状に延出する筒部５ｂとから構成される。下壁部２１ｂ及び上壁部２１ｃの後部に
は係合部５以外に内部に貫通する係止孔（図示せず）が左右方向に並設されている。カバ
ー２１の左壁部２ｄ及び右壁部２ｅの後方周縁部には、図３に示すように前方へ窪んでな
る凹部２５が各々設けられている（図中では左壁部２ｄ側のみ図示）。また、カバー２１
内側には内部空間を６等分するように５つのリブ（図示せず）が左右方向に並設される。
【００１５】
ベース２２は、図３及び図４（ｂ）に示すように矩形板状に形成された底部２２ａと、
底部２２ａの上下両端部から左右方向に亘って互いに対向するように前方へ延びる下起立
部２２ｂ及び上起立部２２ｃと、を備え、左右方向から見たときに前方が開口するコ字形
状に形成されてなる。下起立部２２ｂ及び上起立部２２ｃ前部には、互いに対向するよう
に前方へ延びる６つの突起片９、並びに６つの凸部１０が左右方向に並設される。また、
下起立部２２ｂ及び上起立部２２ｃの外面後部には、上述したカバー２１の図示しない係
止孔に係止するための爪部（図示せず）が突設される。
【００１６】
底部２２ａの左右両端部には、各々外側に延出した後に前方へ曲折され更に外側へ折り
返してなる一対の延出片８，８が配設され、その端部には孔部８ａ，８ａが各々貫設され
る。尚、延出片８，８は、互いの外側へ折り返される端部の前後方向に対する位置が、延
出片８の厚さ幅程度だけ異なるよう設定されている。そして、ベース２２には前方から後
述する端子板３２が装着される。
【００１７】
速結端子３は、図３及び図４（ａ）に示すように６個の錠ばね３１と端子板３２とから
構成される。錠ばね３１は、弾性を有する導電性材料によって形成された帯板の中央部た
る中央片３１ａと、帯板の前端部が略Ｌ字形状に曲折されることで中央片３１ａとの距離
を広げるように傾斜する鎖錠片３１ｂと、前記帯板の後端部が略Ｓ字形状に曲折されるこ
とで中央片３１ａの厚み方向に弾性を有する押圧片３１ｃとから構成される。尚、錠ばね
３１の左右方向の寸法は上述した凸部１０の左右方向の寸法と略等しく、且つ突起片９及
びその右横に窪んで形成される挿入口１５の両方を合わせた左右方向の寸法と略等しく設
定している。
【００１８】
端子板３２は、図３及び図４（ａ）に示すように導電性を有する金属材により矩形板状
に形成された基部３２ａと、基部３２ａの下端部から左右方向に亘って前方へ延びる立設
部３２ｂとを備え、左右方向から見たときにＬ字形状に形成されてなる。立設部３２ｂ前
部には、前方へ延びる６つの端子片３２ｃが左右方向に並設される。尚、端子片３２ｃの
左右方向の寸法は上述した突起片９の左右方向の寸法と略等しく設定している。
【００１９】
基部３２ａの左右両端部には、ベース２２と同様に各々外側に延出した後に前方へ曲折
され更に外側へ折り返してなる一対の連結片１１，１１が配設され、その端部には孔部１
１ａ，１１ａが各々貫設される。連結片１１の上下両端部には後方へ延出して更に内側へ
突出する略鉤形の係合爪１１ｂ，１１ｂが設けられている。尚、連結片１１，１１は、上
述の延出片８，８と同様に互いの外側へ折り返される端部の前後方向に対する位置が、延
出片８の厚さ幅程度だけ異なるよう設定されている。
【００２０】
そして、本実施形態の保持台４は、図１及び図２に示すように全体として左右方向に細
長の略帯板状に形成されてなり、底板部４１と、一対の側壁部４２，４２と、エンド部４
３と、隔壁部４４とから構成される。底板部４１は、細長矩形板状に形成され、保持台４
を図示しない分電盤内の底板にネジ止め固定するためのネジ（図示せず）が挿通する複数
の孔部（図示せず）が左右方向に沿って貫設される。
【００２１】
一対の側壁部４２，４２は、図１に示すように底板部４１の上下両側端部から各々左右
方向に亘って前方へ延びる当接片４２ａと、各右端部のみが更に前方へ突出してなる突部
４２ｂと、各当接片４２ａの外側縁部から左右方向に亘って前方へ延びる枠片４２ｃとか
ら構成される。ここで各側壁部４２，４２には、図１に示すように枠片４２ｃの内面の一
部が外側へ窪み更に前後方向に貫通することで形成された被係合部６が左右方向に２つず
つ並設される。尚、被係合部６の前後方向に貫通する貫通孔（図示せず）の上下左右方向
に対する寸法は、係合部５の筒部５ｂの寸法と等しく設定している。
【００２２】
エンド部４３は、図１に示すように底板部４１の左端部と、各側壁部４２，４２の当接
片４２ａ，４２ａの左端部とに亘ってこれらの前面から前方へ突出してなり、前後方向か
ら見たときにコ字状に形成されてなる。また、隔壁部４４は、図１に示すように矩形片が
底板部４１の右端部から前方へ向かって立設されてなる。
【００２３】
以下、上述の様なケース２及び速結端子３の組立て手順について説明する。先ず、端子
板３２をベース２２に前方から取り付ける。すなわち、端子板３２の基部３２ａをベース
２２の底部２２ａに当接させて、６つの端子片３２ｃが６つの突起片９と各々対向するよ
うに立設部３２ｂを下起立部２２ｂの内面に当接させる。そして、端子板３２の連結片１
１，１１を延出片８，８に対して押圧することで、係合爪１１ｂ、１１ｂは、延出片８，
８の上下両端部に当接して弾性変形により外側へ撓ませた後に弾性復帰力により延出片８
，８の前記両端部と各々係合する。これにより連結片１１，１１が延出片８，８前面の略
全体を被覆するように取り付けられ、端子板３２はベース２２に装着される。
【００２４】
続いて図３に示すように６個の錠ばね３１を端子板３２が装着されたベース２２の開口
内に向かって挿入する。このとき、錠ばね３１の中央片３１ａをベース２２の上起立部２
２ｃに当接させて、且つ鎖錠片３１ｂ及び押圧片３１ｃを図５に示すように所望の隙間１
２を空けて端子板３２の端子片３２ｃ及び挿入口１５に各々対向させる。そして、互いの
長手方向を揃えながらカバー２１をベース２２に向かって降ろす。すると、上述したベー
ス２２の図示しない爪部は、カバー２１の下壁部２１ｂ、及び上壁部２１ｃを外側へ撓ま
せながらカバー２１の開口内に挿入される。また、カバー２１内側の図示しない５つのリ
ブは、隣り合う錠ばね３１，３１の間にある隙間と隣り合う凸部１０，１０の間にある隙
間とに嵌入して６個の錠ばね３１の左右方向への傾きを防止している。底部２２ａ及び基
部３２ａの左右両端部は、カバー２１の凹部２５，２５に各々嵌合する。そして、下壁部
２１ｂ、及び上壁部２１ｃの弾性復帰力により図示しない係止孔に前記爪部が各々係止す
る。前記係止によりカバー２１とベース２２とが結合して、図５に示すように隙間１２の
前方に挿通孔２３が配置するように速結端子３がケース２内に収納される。但し、連結片
１１，１１はケース２の左右両端後部から外部に延出される。
【００２５】
ケース２内に収納された速結端子３は、図５に示すように入線される電線１３を鎖錠接
続する。すなわち、電線１３の一端部より露出する芯線先端を前後方向に沿って挿通孔２
３に挿通すると、前記芯線先端は各々ケース２内で対応する錠ばね３１の押圧片３１ｃに
よって端子片３２ｃに押し当てられるとともに、鎖錠片３１ｂが前記芯線先端に食い込ん
で係止することにより鎖錠接続される。電線１３の他端部は、例えば分電盤内の分岐ブレ
ーカ（図示せず）と対応する電源コンセント（図示せず）のアース端子に接続される。尚
、本実施形態の端子装置１は、ケース２の差込口２４、及び挿入口１５を通じて、例えば
マイナスドライバの先端を挿入して鎖錠片３１ｂの右端を後方に押圧することで、前記鎖
錠接続を解除して電線１３をケース２から引き外すことができる。
【００２６】
以下、上述のように組立てられたケース２の保持台４への取り付け手順について説明す
る。但し保持台４は、予めネジ（図示せず）を底板部４１の前記孔部に挿通させて図示し
ない分電盤内に穿設されるネジ孔に螺合させることで分電盤内に取り付けられているもの
とする。
【００２７】
先ず、ケース２の長手方向を分電盤内の保持台４の長手方向に揃えて、４つの係合部５
の筒部５ｂを４つの被係合部６の前後方向に貫通する図示しない貫通孔に対向させる。次
に、ケース２を前方から保持台４の枠片４２ｃ，４２ｃによって形成される開口内に嵌合
させる。これにより４つの係合部５が各々前記貫通孔に挿入されるとともに、ケース２底
面の上下両縁部が保持台４の当接片４２ａ，４２ａの前面に当接される。そして、この状
態からケース２を左方へ手動で移動させると、ケース２底面の前記上下両縁部が当接片４
２ａ，４２ａの前面をスライドし係合部５が被係合部６と係合して、ケース２の左方、前
方、及び上下方向の移動が規制される。但し、ケース２を右方へ移動させると係合部５が
被係合部６から脱離してケース２を保持台４から前方へ引き抜くことが可能となる。すな
わち、係合部５は、被係合部６の前記貫通孔に挿入することで前記係合する位置と前記係
合しない位置との間で保持台４の長手方向に沿ってスライド自在に支持される。
【００２８】
この様に端子装置１は、一度保持台４を分電盤内に取り付ければ以降のケース２やケー
ス２内の速結端子３の交換の際には、係合部５が被係合部６と係合する位置と係合しない
位置との間でケース２を保持台４の長手方向に沿って手動でスライドさせることで、保持
台４への取り付けや取り外しができる。従って、ドライバ等の工具を必要とせず、ケース
２の分電盤内への取り付け及び取り外し作業を容易に行うことができる。
【００２９】
尚、端子装置１は、ケース２を保持台４に取り付けた後に図１に示すようにボルト１４
，１４を各々連結片１１の孔部１１ａと延出片８の孔部８ａとに挿通してナット（図示せ
ず）に螺合することで、右側のボルト１４のネジ部が保持台４の隔壁部４４に係止してケ
ース２の右方への移動が規制されるのでケース２の抜け落ちを防ぐことができる。
【００３０】
ところで、保持台４の長手方向の寸法は、図１や図２に示すように１個分のケース２の
長手方向の寸法と略等しく設定している。しかし、複数個分のケース２の長手方向の寸法
と略等しく設定して、且つ複数個のケース２と対応する数だけ被係合部６を設ければ、複
数個のケース２を長手方向に沿って互いに連結させることができる。ここで被係合部６が
配置される位置は、複数個のケース２が保持台４に隣接して取り付けられているときに互
いに対向する連結片１１，１１の孔部１１ａ，１１ａ、及び延出片８，８の孔部８ａ，８
ａの中心部の位置が合わさるように設定される。そして、隣接するケース２，２は、上述
のボルト１４をこれらの４つの孔部に挿通させてナット（図示せず）に螺合することで連
結されて、互いに機械的な接続だけでなく電気的な接続もなされる。更に、上述した通り
ケース２の左右両端にある連結片１１及び延出片８の前後方向に対する位置が互いに異な
るように設定されているので、２つのケース２を連結させたときにケース２，２の前面同
士を互いに面一とすることができる。
【００３１】
（実施形態２）
以下、本発明の実施形態２について、図６を参照して説明する。尚、本実施形態は、基
本的な構成が実施形態１と共通であるので、共通の構成要素には、同一の符号を付して説
明を省略する。本実施形態の端子装置１は、保持台４の隔壁部４４の代替として右端部に
係脱自在に取り付けられるストッパー４５を備える点に特徴がある。
【００３２】
ストッパー４５は、図６に示すように矩形片４５ａと一対の差込片４５ｂ，４５ｂと一
対の爪片４５ｃ，４５ｃとから構成され、前後方向から見たときに全体としてコ字状に形
成される。差込片４５ｂ，４５ｂは、各々上下方向に沿って延びる矩形片４５ａの上下両
端の下部から左方へ延出してなる。爪片４５ｃ，４５ｃは、矩形片４５ａの上下両端の上
部から差込片４５ｂより所望の隙間を空けながら左方へ延出し、更に先端部が互いに内側
へ突出してなる。また、矩形片４５ａは、左面上下端近傍が前後方向に亘って左方に突出
しており、当該突出部分と差込片４５ｂ及び爪片４５ｃとによって嵌合部４５ｄ，４５ｄ
が各々形成される。
【００３３】
以下、ストッパー４５を保持台４へ取り付ける手順について簡単に説明する。先ずスト
ッパー４５を保持台４の右端部より押圧して差込片４５ｂ，４５ｂを側壁部４２の突部４
２ｂと枠片４２ｃとの間に隙間を空けて形成された差込口（図示せず）に挿入する。する
と爪片４５ｃ，４５ｃの先端部が各々突部４２ｂ，４２ｂの上部に当接して、弾性変形に
より外側へ撓ませた後に弾性復帰力により突部４２ｂ，４２ｂと各々係合する。更にこの
とき突部４２ｂ，４２ｂの右端部が嵌合部４５ｄ，４５ｄに各々嵌合し、ストッパー４５
が保持台４に取り付けられる。尚、取り外す際には、指で爪片４５ｃ，４５ｃの先端部を
外側へ撓ませながらストッパー４５を右方へ移動させればよい。
【００３４】
すなわち、本実施形態の端子装置１は、実施形態１の様にケース２を保持台４へ取り付
けてから右方への移動を規制するためにボルト１４，１４を螺合するのではなく、ボルト
１４，１４を螺合した状態でもケース２を保持台４へ取り付けることが可能となり、後か
らストッパー４５を保持台４へ取り付けてケース２の右方への移動を規制することができ
る。従って、ケース２の保持台４への取り付け作業性をより向上させることができる。
【００３５】
（実施形態３）
以下、本発明の実施形態３について、図７を参照して説明する。尚、本実施形態は、基
本的な構成が実施形態１と共通であるので、共通の構成要素には、同一の符号を付して説
明を省略する。本実施形態の端子装置１は、係合部５及び被係合部６とは別にケース２の
移動を規制する規制手段を備える点に特徴がある。
【００３６】
保持台４は、図７に示すように枠片４２ｃ，４２ｃの左右方向略中心部から前方へ延出
し、且つその先端部に各々内側へ突出する係止部１６ａを有した一対の支柱１６，１６を
備える。また、ケース２は、カバー２１の下壁部２１ｂと上壁部２１ｃの外面略中心部に
内側へ窪んでなる被係止部１７を備える（図中では下壁部２１ｂ側の被係止部１７のみ図
示）。
【００３７】
以下、本実施形態のケース２を保持台４へ取り付ける手順について簡単に説明する。先
ず、ケース２の長手方向を分電盤内の保持台４の長手方向に揃えて、４つの係合部５の筒
部５ｂを４つの被係合部６の前後方向に貫通する図示しない貫通孔に対向させる。次に、
ケース２を前方から保持台４の枠片４２ｃ，４２ｃによって形成される開口内に嵌合させ
る。これにより４つの係合部５が各々前記貫通孔に挿入されるとともに、ケース２底面の
上下両縁部が保持台４の当接片４２ａ，４２ａの前面に当接される。このとき係止部１６
ａ，１６ａは、下壁部２１ｂと上壁部２１ｃの外面に当接して、支柱１６，１６全体を弾
性変形により外側へ撓ませながら前記外面を前方へスライドする。
【００３８】
この状態からケース２を左方へ手動で移動させると、ケース２底面の前記上下両縁部が
当接片４２ａ，４２ａの前面をスライドし係合部５が被係合部６と係合して、ケース２の
左方、前方、及び上下方向の移動が規制される。更に上記の移動にともなって係止部１６
ａ，１６ａも同様に支柱１６，１６全体を撓ませたまま前記外面を右方へスライドして、
係合部５が被係合部６と係合したときに係止部１６ａが被係止部１７の配置される位置に
到達する。そして、支柱１６の弾性復帰力により係止部１６ａが被係止部１７に係止する
ことでケース２の右方の移動も規制されてケース２が保持台４へ取り付けられる。尚、係
止部１６ａを指で外側へ押して支柱１６を撓ませながらケース２を右方へ移動させると、
係合部５が被係合部６から脱離してケース２を保持台４から前方へ引き抜くことが可能と
なる。
【００３９】
従って、本実施形態の端子装置１は、係合部５及び被係合部６に加えて係止部１６ａ及
び被係止部１７を備えるので、保持台４のケース２に対する保持力をより強くすることが
できる。特に、図５に示すように実際にケース２内に電線１３が入線されて電線１３より
張力をケース２の短手方向（上下方向）に受けても、当該張力によってケース２及び保持
台４が破損するのを抑えることができる。また、右方への移動が規制されるので、実施形
態１の隔壁部４４や実施形態２のストッパー４５を必要とせず、ボルト１４，１４を螺合
した状態でもケース２を保持台４へ取り付けることが可能となるので取り付け作業性をよ
り向上させることができる。
【００４０】
（実施形態４）
以下、本発明の実施形態４について、図８を参照して説明する。尚、本実施形態は、基
本的な構成が実施形態１と共通であるので、共通の構成要素には、同一の符号を付して説
明を省略する。本実施形態の端子装置１は、ケース２と速結端子３と係合手段たる係合部
５のみを備える点に特徴がある。
【００４１】
すなわち、端子装置１は、実施形態１〜３で述べた保持台４及び被係合部６を備えてお
らず、代わりに図８に示すように被係合部６が分電盤１８側に設けられている。尚、分電
盤１８は前面が開口する扁平な箱型に形成されており、図８においてその下部右方のみを
図示する。
【００４２】
被係合部６は、図８に示すように分電盤１８の底板１８ａ下部に係合部５の筒部５ｂと
略同形の貫通孔が前後方向に貫設されることで形成され、複数の被係合部６が左右方向に
沿って上下２列に並設される。また、実施形態１の隔壁部４４と同様に、ボルト１４が係
止してケース２の右方への移動を規制する隔壁部１８ｂが複数突設される。そして、複数
のケース２を底板１８ａに取り付けてボルト１４を螺合することで、実施形態１と同様に
複数のケース２が左右方向に沿って連結可能となっている。従って、実施形態１〜３の様
な保持台４を必要とせず部材点数を削減することができ、尚且つケース２の分電盤内への
取り付け及び取り外し作業を容易に行うことができる。
【符号の説明】
【００４３】
１  端子装置
２  ケース
３  速結端子
４  保持台
５  係合部
６  被係合部
８  延出片
１１  連結片
１４  ボルト
２３  挿通孔
３２  端子板
【図１】
0005616602.tif 000002
【図２】
0005616602.tif 000003
【図３】
0005616602.tif 000004
【図４】
0005616602.tif 000005
【図５】
0005616602.tif 000006
【図６】
0005616602.tif 000007
【図７】
0005616602.tif 000008
【図８】
0005616602.tif 000009